(57)【要約】【課題】第１の判別具により可視化する不可視画像に、更なる判別具を【解決手段】基材の少なくとも一部に、中心を境に対向するように機能性を有する無色透明材料で配置した第１の画線及び第２の画線と、第１の方向と直交する第２の方向に沿って、中心を境に対向するように機能性を有する無色透明材料で配置した第３の画線及び第４の画線とを有する画線要素が、一定のピッチで複数マトリクス状に配置されており、各々の画線要素における第１の画線と第２の画線、第３の画線と前記第４の画線は、オン・オフの関係にあり、かつ、面積が同一であり、第１の画線及び第２の画線により第１の不可視画像が形成され、第３の画線及び第４の画線により第２の不可視画像が形成された偽造防止用印刷物である。【選択図】図７
2010120198.tif 000002
【特許請求の範囲】
【請求項１】
基材の少なくとも一部に、中心を境に対向するように機能性を有する無色透明又は淡色の材料で配置された第１の画線及び第２の画線と、
前記第１の方向と直交する第２の方向に沿って、前記中心を境に対向するように機能性を有する無色透明又は淡色の材料で配置された第３の画線及び第４の画線とを有する画線要素が、一定のピッチで複数マトリクス状に配置されており、
各々の前記画線要素における前記第１の画線と前記第２の画線とは、オン・オフの関係にあり、かつ、面積が同一であり、前記第１の画線により第１の不可視画像のポジ画像又はネガ画像が形成され、前記第２の画線により前記第１の不可視画像のネガ画像又はポジ画像が形成され、
各々の前記画線要素における前記第３の画線と前記第４の画線とは、オン・オフの関係にあり、かつ、面積が同一であり、前記第３の画線により第２の不可視画像のポジ画像又はネガ画像が形成され、前記第４の画線により前記第２の不可視画像のネガ画像又はポジ画像が形成されることを特徴とする偽造防止用印刷物。
【請求項２】
前記画線要素は、正方形の形状を有し、一辺の長さが１ｍｍ以下であることを特徴とする請求項１記載の偽造防止用印刷物。
【請求項３】
前記画素要素は、前記第１の画線、前記第２の画線、前記第３の画線及び前記第４の画線が存在しない領域に前記機能性を有する無色透明又は淡色の材料によって配置された第５の画線及び／又は第６の画線を更に有し、
前記第５の画線及び／又は前記第６の画線により、第３の不可視画像が形成されることを特徴とする請求項１又は２記載の偽造防止用印刷物。
【請求項４】
前記第３の不可視画像は、前記第５の画線及び／又は前記第６の画線の形状を任意に設定することにより、連続階調を有する不可視画像が形成されたことを特徴とする請求項３記載の偽造防止用印刷物。
【請求項５】
前記機能性を有する無色透明又は淡色の材料は、エネルギー線の照射により可視光領域で発色する材料を含むインキであることを特徴とする請求項１乃至４のいずれか１項記載の偽造防止用印刷物。
【請求項６】
前記基材は、少なくとも一つの可視画像が形成されていることを特徴とする請求項１乃至５のいずれか１項記載の偽造防止用印刷物。
【請求項７】
前記可視画像は、光輝性材料を含むインキで印刷され、前記可視画像の少なくとも一部の画線に重畳する位置に、前記第１の画線、前記第２の画線、前記第３の画線、前記第４の画線、前記第５の画線及び前記第６の画線を設けることにより、第４の不可視画像を形成することを特徴とする請求項６記載の偽造防止用印刷物。
【発明の詳細な説明】
【技術分野】
【０００１】
本発明は、銀行券、株券、債券等の有価証券、各種証明書、重要書類等の偽造防止又は複製防止が必要とされる印刷物に関するものである。
【背景技術】
【０００２】
偽造防止を必要とされる印刷物において、簡便に真偽判定することは、偽造物を発見する上で重要である。容易に真偽判定することができる方法として、不可視画像が可視画像となって発現する技術がある。印刷物に対して何らかの処理を加えて、不可視画像を可視画像として発現させる代表的な偽造防止技術として、潜像凹版や、コピー防止画線と呼ばれる複写機で色が正常に再現されない図形、機能性材料を使ったインキ等がある。このうち、機能性材料を使ったインキとして、蛍光インキ、燐光インキ等、特定の光又は電子線の照射や、特定の応力を与えることによって励起する機能性材料を印刷インキに用いる技術がある。
【０００３】
特に簡便な道具を使う代表的な施行方法として、例えば、任意の図形を、蛍光顔料を含む無色透明インキ（以下、「無色蛍光インキ」という。）で印刷し、その印刷物に紫外線ランプ等で紫外線を照射すると、無色蛍光インキで印刷された図形が可視光にて発光するといった効果がある。また、無色蛍光インキに対し有色蛍光インキは、印刷されると通常の可視光線下で可視画像とすることができ、紫外線等の所定の波長を照射すると該画像が発光することで真偽判別を可能にしている。
【０００４】
蛍光インキによる偽造防止策の一例を説明する。図１は、紫外線ランプ８を用い、紫外線を照射しながら印刷物１を視点９から目視にて観察した状態が示された斜視図であり、図２は、通常の可視光で観察された状態と紫外線ランプ８の紫外線を照射して観察した状態が示された説明図である。図１に示された印刷物１上には、任意の図形及び文字から成る印刷模様５と無色蛍光インキによって印刷された任意の図形及び文字から成る模様２０とが印刷されている。通常の可視光での観察では、図２（ａ）に示されたように、印刷模様６のみが視認され、無色蛍光インキによって印刷された印刷模様６は、肉眼視で無色となっているため視認されない。なお、図２（ａ）では、模様４をわかりやすく点線にて表示している。
【０００５】
図２（ｂ）は、印刷物１に紫外線ランプ８を用いて紫外線を照射したときの状態を示されたものである。図２（ｂ）のように、紫外線によって蛍光インキが励起し発光することによって、不可視画像として備わっていた印刷模様６が可視画像となる。可視画像となって発光することにより真正物であることが一目瞭然となる。ここで、蛍光インキの偽造防止策として要となっているのが、専用の機能性材料を使うことによる秘匿性である。例えば、容易に入手することができない機能性材料を使うことによって、偽造そのものを抑止することができる。こうした機能性材料を使った偽造防止技術は、古くから用いられているもので、例えば、諸外国では、店のカウンターの下に紫外線ランプを設置し、紙幣を受け取った際に、蛍光発光を確認して真偽判別するなどといった方法がある。こうした技術は、真偽判定が容易で、犯罪への牽制効果があるとされ、今後も望まれる認証技術になっている。
【０００６】
このように、紫外線照射によって何らかの色味に発光して見えるという現象は、偽造防止効果の確認方法として至って明瞭な効果といえる。しかし、そうした明瞭さ故に、昨今では、類似の効果を成す代替物が容易に入手可能であり、専用の材料を用いていながらも、組織的な偽造犯によって類似の効果を成す代替物を使用して贋造されてしまう場合がある。つまり、紫外線光を照射して画像が発光するだけでは、十分な偽造防止策になっていないという問題がある。
【０００７】
上記の問題に対し蛍光インキによる偽造防止策を高める方法として、二色性蛍光と呼ばれる蛍光インキを用いる方法が提案されている。この二色性蛍光とは、一つの印刷画線に対し、二種類の異なる波長の紫外線を照射することよって、それぞれ異なる発色で励起するものである。例えば、波長３６５ｎｍの紫外線で励起された発色は、緑色となり、さらに、波長２５４ｎｍの紫外線で励起された発色は、赤色となる。この技術によると、二色の発色を有するという。さらに、秘匿性の高い機能性材料を用いるため、偽造防止効果も一層向上するものであるが、適切な真偽判別に至るには二種類の波長の紫外線を照射することができる装置が必要であり、特殊な機能性材料であるだけではなく、特殊な真偽判別装置も要するために高コストになるといった問題もある。
【０００８】
本願発明者らは、一種類の蛍光インキを用い、一種類の励起発色でありながら、発色効果とは別の不可視画像を設けた方法を提案している。基材１に基本画像を設け、基本画像は、潜像部及び潜像周囲部から成り、潜像部及び潜像周囲部は、肉眼で区別することのできず、一定周期で連続配置する網点の集合体により構成され、潜像部の網点は、潜像周囲部の網点と解像度が異なり、単位面積当たりの網点面積率が等しく、かつ、単位面積当たりの網点周囲長（輪郭長さ）が異なる構成から成り、かつ、潜像部及び潜像周囲部を有色蛍光インキで印刷する。これにより、有色蛍光インキによる印刷画線に赤外線を照射したとき、不可視画像が可視画像となって発現するものである。しかし、印刷物上での画線寸法を管理する上で、有色蛍光インキ、すなわち、可視光で視認することができる色で印刷されることが前提となる（例えば、特許文献１参照）。
【０００９】
一方、蛍光インキを使わずとも低コストで真偽判定を可能にする有用な方法に、印刷物上に判別具を重ねて行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）であったり、レンチキュラーレンズであったりする。この判別具を用いて不可視画像を発現させる技術は、主に二種類の方法があり、点位相変調（Dot phase modulation）と線位相変調（Line phase modulation）とが存在する。
【００１０】
点位相変調（Dot phase modulation）の一例としては、第１の方向と第２の方向に位相変調されたパターンが形成された印刷物と、当該印刷物の第1の方向と万線状フィルタの万線状パターンの方向とを一致するように前記万線状フィルタを重ね合わせることにより形成される第１の多階調画像と、前記万線状フィルタの重ね合わせる角度を前記印刷物の第２の方向に一致するように変えると第２の多階調画像が形成された印刷物及び画像形成法がある（例えば、特許文献２参照）。
【００１１】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、複写することによりスクリーン線数の大きさ又は網点角度で再現されるドットが潰れ、ドットの濃度が変化することにより前記不可視画像と異なる画像が発現する印刷物がある（例えば、特許文献３参照）。
【００１２】
また、本願出願人らは、点位相変調（Dot phase modulation）を用いた印刷物に関する特許出願を行っている。これは、基材上に複数の等色の画素が規則的に配列されて二つの潜像模様が形成された潜像印刷物であって、前記複数の画素において、第１の方向に位相をずらして配列された第１の領域による第１の潜像模様（不可視画像）と、機能性を有するインキにより印刷された第２の領域による第２の潜像模様（不可視画像）とを有する（例えば、特許文献４参照）。
【００１３】
線位相変調（Line phase modulation）の一例としては、基材上に、線部と非線部を有し、同一ピッチ及び幅から成る万線パターンに対し、万線位相を２分の１ピッチずらして形成された潜像部を備えている複数種の潜像万線パターンが、それぞれ異なる角度で重ね合わされて印刷された潜像を有する印刷物であって、前記複数種の潜像万線パターンがそれぞれ色違いであることを特徴とする印刷物と、前記印刷物の万線パターンと同一ピッチのフィルムを前記複数種の不可視画像に重ね合わせることにより潜像部を可視画像化されたものがある（例えば、特許文献５参照）。
【００１４】
【特許文献１】特開２００１−６２３８５号公報
【特許文献２】特許第４１３２１２２号公報
【特許文献３】特許第４０１３４５０号公報
【特許文献４】特開２００８−２０７３３５号公報
【特許文献５】特開２００４−１７４９９７号公報
【発明の開示】
【発明が解決しようとする課題】
【００１５】
上述した従来の印刷物は、目視可能な有色インキ又は有色蛍光インキにて印刷されることを前提とするものである。したがって、光学式スキャナにて高解像度入力を行った際には、図形の形状や配置をそのまま撮像することも可能であり、また、機能性材料も代替物によって贋造することも可能であるが故に、高度な製版・印刷機器を保有する組織的な偽造においては、完全にそれを防げるものではなかった。
【００１６】
本発明は、上記事情にかんがみ、二種類の判別具により、第１の判別具において第１の不可視画像が第１の可視画像となって発現されるとともに、さらに第２の判別具において第１の可視画像に埋め込まれた第２の不可視画像と第３の不可視画像とが、第２の可視画像と第３の可視画像になって発現された偽造防止用印刷物を提供することを目的とする。
【課題を解決するための手段】
【００１７】
本発明の偽造防止用印刷物は、基材の少なくとも一部に、中心を境に対向するように機能性を有する無色透明又は淡色の材料で配置された第１の画線及び第２の画線と、第１の方向と直交する第２の方向に沿って、中心を境に対向するように機能性を有する無色透明又は淡色の材料で配置された第３の画線及び第４の画線とを有する画線要素が、一定のピッチで複数マトリクス状に配置されており、各々の画線要素における第１の画線と第２の画線とは、オン・オフの関係にあり、かつ、面積が同一であり、第１の画線により第１の不可視画像のポジ画像又はネガ画像が形成され、第２の画線により第１の不可視画像のネガ画像又はポジ画像が形成され、各々の画線要素における第３の画線と前記第４の画線とは、オン・オフの関係にあり、かつ、面積が同一であり、第３の画線により第２の不可視画像のポジ画像又はネガ画像が形成され、第４の画線により第２の不可視画像のネガ画像又はポジ画像が形成された偽造防止用印刷物であることを特徴としている。
【００１８】
また、本発明の偽造防止用印刷物の画線要素は、正方形の形状を有し、一辺の長さが１ｍｍ以下の偽造防止用印刷物であることを特徴としている。
【００１９】
また、本発明の偽造防止用印刷物の画素要素は、第１の画線、第２の画線、第３の画線及び第４の画線が存在しない領域に、機能性を有する無色透明又は淡色の材料によって配置された第５の画線及び／又は第６の画線を更に有し、第５の画線及び／又は第６の画線により、第３の不可視画像が形成された偽造防止用印刷物であることを特徴としている。
【００２０】
また、本発明の偽造防止用印刷物における第３の不可視画像は、第５の画線及び／又は第６の画線の形状を任意に設定したことにより、連続階調を有する不可視画像が形成された偽造防止用印刷物であることを特徴としている。
【００２１】
また、本発明の偽造防止用印刷物における機能性を有する無色透明又は淡色の材料は、エネルギー線の照射により可視光領域で発色する材料を含む無色透明インキの偽造防止用印刷物であることを特徴としている。
【００２２】
また、本発明の偽造防止用印刷物の基材は、少なくとも一つの可視画像が形成された偽造防止用印刷物であることを特徴としている。
【００２３】
また、本発明の偽造防止用印刷物の可視画像は、光輝性材料を含むインキで印刷され、可視画像の少なくとも一部の画線に重畳する位置に、第１の画線、第２の画線、第３の画線、第４の画線、第５の画線及び第６の画線を設けることにより、第４の不可視画像が形成された偽造防止用印刷物であることを特徴としている。
【発明の効果】
【００２４】
本発明の偽造防止用印刷物によれば、基材上に、機能性を有する無色透明な材料で印刷された模様において、二種類の判別具により、第１の判別具において第１の不可視画像が第１の可視画像となって発現されるとともに、さらに、第２の判別具において、第１の可視画像に埋め込まれた第２の不可視画像と第３の不可視画像とが、それぞれ第２の可視画像と第３の可視画像になって発現された偽造防止用印刷物を提供される。
【発明を実施するための最良の形態】
【００２５】
本発明の偽造防止用印刷物は、基材上に、機能性を有する無色透明な材料で印刷された模様を、少なくとも二種類の判別具によって真偽判別を可能にするものである。真偽判別方法としては、第１の判別具のみを使用する方法又は第１の判別具と第２の判別具とを併せて使用する方法があり、後者の方法を用いることで、より高い真偽判別性を備えることができる。以下、本発明の実施の形態１〜３による偽造防止用印刷物について図面を用いて説明する。なお、本発明は、以下に述べる実施の形態１〜３に限定されるものではなく、特許請求の範囲に記載された技術的思想の範囲内であれば、その他のいろいろな実施の形態が含まれる。
【００２６】
本発明の実施の形態１〜３による偽造防止用印刷物は、少なくとも二種類の判別具によって真偽判別性を高めている。図３は通常の可視光で観察された状態と、第１の判別具、例えば、紫外線ランプ８の紫外線を照射して観察した状態が示された説明図である。
【００２７】
図３（ａ）に示された印刷物１を、通常の可視光での観察では、図３（ａ）に示されたように、印刷模様５のみが視認され、機能性を有する無色透明な材料として、例えば、無色蛍光インキによって印刷された印刷模様３は、肉眼視で無色となっているため視認されない。なお、図３（ａ）では、印刷模様３をわかりやすく点線にて表示している。
【００２８】
この図３（ａ）に示された印刷物１を、図１に示されたように、視点９において、印刷物１に第１の判別具である紫外線ランプ８を用いて紫外線を照射すると、図３（ｂ）のように、紫外線によって蛍光インキが励起し発光することによって、第１の不可視画像として備わっていた印刷模様３が第１の可視画像となる。
【００２９】
本発明では、さらに、図４に示されるように、印刷物１に対し第１の判別具である紫外線ランプ８で紫外線を照射し、なおかつ、第２の判別具であるレンチキュラーレンズ２を重ね合わせることにより、容易に不可視画像を発現させて真偽判別することができるものである。レンチキュラーレンズ２は、透明性を有する素材であり、第１の判別具である紫外線ランプ８で紫外線の光を充分に透過するものである。
【００３０】
そして、印刷物１上に第２の判別具であるレンチキュラーレンズ２を所定の角度（これを０度とする。）を持って重ね合わせると、図５（ａ）又は図５（ｂ）に示されたような第２の不可視画像６が可視画像となって発現する。また、印刷物１上に第２の判別具であるレンチキュラーレンズ２を所定の角度に対して９０度を成す角度をもって重ね合わせると、図６（ａ）又は図６（ｂ）に示されたような第３の不可視画像６’が可視画像となって発現する。図５（ａ）又は図５（ｂ）及び図６（ａ）又は図６（ｂ）に示されるようにネガポジ状のどちらかに見えるのは、レンチキュラーレンズ２と印刷物１との間の相対的な位置によって生ずるものであり、本発明の効果の範囲内である。
【００３１】
また、さらに、本発明の実施の形態１〜３は、無色蛍光インキを使用した例として説明しているが、淡色のインキとして、高明度の有色顔料を含む蛍光インキ又は顔料コンテントの低い状態にある有色顔料を含む蛍光インキ（以下「有色蛍光インキ」という。）であっても、本発明の効果の範囲内である。すなわち、第１の判別具である紫外線ランプ８で紫外線を照射していない通常の目視の状態において、第２の判別具であるレンチキュラーレンズ２を重ね合わせた際に、用いられる有色蛍光インキが、目視にて不可視画像６及び不可視画像６’が可視画像として視認することができないほどの高明度である場合、有色蛍光インキであっても本発明の効果が損なわれることはない。なお、本発明における淡色の材料とは、これらの高明度な有色蛍光インキ等のことである。
【００３２】
（１）実施の形態１
本発明の実施の形態１による偽造防止用印刷物について説明する。
図７は通常の可視光で観察された状態と、第１の判別具である紫外線ランプ８の紫外線を照射して観察した状態が示された説明図である。
【００３３】
図７（ａ）に示された印刷物１は、通常の可視光での観察では、図７（ａ）に示されたように、印刷模様５のみが視認され、無色蛍光インキによって印刷された印刷模様３は、肉眼視で無色となっているため視認されない。なお、図３（ａ）では、印刷模様３をわかりやすく点線にて表示している。
【００３４】
この図７（ａ）に示された印刷物１を、図１に示されたように、視点９において、印刷物１に第１の判別具である紫外線ランプ８を用いて紫外線を照射すると、図７（ｂ）のように、紫外線によって蛍光インキが励起し発光することによって、第１の不可視画像として備わっていた印刷模様３が第１の可視画像となる。さらに、図７（ｂ）は、模様４に加えて更に任意の図形及び文字から成る模様１０を施すことができる。例えば、図７に示された模様４と模様１０とは、重畳するような配置となっており、これに限らず様々なデザイン表現を施すことができる。
【００３５】
図８に、本実施の形態１における印刷物１に対する印刷模様３の一画線の構成を部分的に拡大して示す。ただし、無色蛍光インキを用いているため、可視光下では無色透明な状態である。以下の説明では、図形が見えているものと仮定して説明する。
【００３６】
縦横の寸法Ｓは、例えば、３４０μｍというように１ｍｍ以下の大きさである。このような画線群はユニットと称する最小単位であり、印刷物の表面上においてマトリクス状に規則的に配置される。各画線は、図８（ａ）に示されたように、画線Ａ、画線Ａ’、画線Ｂ、画線Ｂ’、画線Ｃ及び画線Ｄが、所定の位置関係をもって配置される。図８（ｂ）に示された画線Ａと画線Ａ’は、対を成しており、相互にオン、オフの関係にある。そして、画線Ａと画線Ａ’とは、面積が同一である。このような画線Ａと画線Ａ’とが存在することで通常の可視条件下では視認されず、画線Ａのみにより第２の不可視画像（ネガ又はポジ）、画線Ａ’のみにより第２の不可視画像（ポジ又はネガ）がそれぞれ形成されている。
【００３７】
同様に、画線Ｂと画線Ｂ’とは、対を成してオン、オフの関係にあり、かつ、面積が同一である。画線Ｂのみにより第３の不可視画像（ネガ又はポジ）、画線Ｂ’のみにより第３の不可視画像（ポジ又はネガ）がそれぞれ形成されている。
【００３８】
図８（ｄ）に示された画線Ｃは、図７（ｂ）に示されたような任意の図形及び文字から成る模様４を構成する画線となり、四角形の四隅には画線Ｃの中心がくるように４分の１ずつが配置されている。さらに、図８（ｅ）に示された画線Ｄは、図７（ｂ）に示されたような任意の図形及び文字から成る模様１０を構成する画線となり、四角形の中心に画線Ｄの中心が一致するように配置されている。
【００３９】
このような構成を有する画線を印刷物上にマトリクス状に隙間なく、連続的に、かつ、規則的に配置すると図９のようになる。この図９は、印刷物１に印刷された印刷模様３を構成するマトリクス状に配置された複数の画線において、第２の不可視画像を構成する画線Ａ及び画線Ａ’と、第３の不可視画像を構成する画線Ｂ及び画線Ｂ’と、模様４を構成する画線Ｃと、模様１０を構成する画線Ｄとのそれぞれの構成が分るように簡易的に示した模式図である。なお、図９（ａ）と図９（ｂ）は、同じ印刷物であって、第２の不可視画像及び第３の不可視画像とそれぞれの位置構成が分るように太実線で簡易的に示した模式図であり、図９（ａ）は第２の不可視画像「Ａ」の位置を表し、図９（ｂ）は第３の不可視画像「Ｂ」の位置を表したものである。
【００４０】
図１０（ａ）は、図９に示された印刷物１の印刷模様３を通常の可視光での観察した状態であり、画線Ａ、画線Ａ’、画線Ｂ、画線Ｂ’、画線Ｃ及び画線Ｄは、肉眼視で視認されない。なお、本実施の形態１では、印刷模様３をオフセット印刷によりコート紙に印刷したが、印刷方法、印刷装置等については、何ら限定するものではない。
【００４１】
通常の目視では、図１０（ａ）に示されるように何ら模様を認識することができるものではないが、第１の判別具である紫外線ランプ８にて、印刷模様３に紫外線を照射すると図１０（ｂ）に示されように、無色蛍光インキによって、それまで無色透明だった画線Ａ、画線Ａ’、画線Ｂ、画線Ｂ’、画線Ｃ及び画線Ｄが紫外線によって励起し発光する。この状態では、画線Ｃによって構成された模様４と、画線Ｄによって構成された模様１０とが印刷模様３のデザインであるかのごとく目視で視認される。つまり、図７（ｂ）に示された印刷模様３は、第１の可視画像となって視認される。
【００４２】
さらに、図１１に示されたように、例えば、第２の判別具であるレンチキュラーレンズ２を印刷物１上の印刷模様３に重ね合わせ、正面から目視で観察することによって、印刷模様３に施されている第２の不可視画像及び第３の不可視画像をそれぞれ可視画像として発現させることができる。
【００４３】
第２の判別具であるレンチキュラーレンズ２を重ねていない状態では、模様４及び模様１０が励起発光によって視認されるが、第２の不可視画像及び第３の不可視画像は、視認されない。レンチキュラーレンズ２を印刷模様３上の所定の位置に重ね合わせると、それまで視認されていた模様４及び模様１０、すなわち、第１の可視画像を全く確認することができなくなり、逆に第２の不可視画像又は第３の不可視画像のそれぞれが可視画像となって視認されるようになる。このような本実施の形態１による印刷物における画像のスイッチ効果の原理について、以下に説明する。
【００４４】
第１の判別具である紫外線ランプ８によって紫外線を照射し励起発光した印刷模様３を、正面から目視で観察した状態を図１２に示す。図１２（ａ）は、紫外線を照射によって励起発光した印刷模様３に対して、第２の判別具であるレンチキュラーレンズ２の各レンズの中心線７が、図８における線Ｌ１に一致するように、レンチキュラーレンズ２を印刷物１上の印刷模様３に重ね合わせた状態が示されたものである。レンチキュラーレンズ２の中心線７が図１２（ａ）に示された位置にある場合、中心線７上に位置するのは画線Ａと、画線Ｂ及びＢ’となっている。レンチキュラーレンズの特性によって、中心線７に位置する画線Ａと、画線Ｂ及びＢ’が膨張して見えるため、目視では図１２（ｂ）に示されたような励起発光による可視画像が発現する。ここで、画線Ｂ及びＢ’は、ネガポジの関係にあり、かつ、面積が同一であるため、これらにより形成される画像は視認されない。このため、画線Ａにより形成される第２の不可視画像のみが視認される。また、レンチキュラーレンズの中心線７が図８における線Ｌ２に一致した位置にあるときは、画線Ａ’が膨張して見える。これにより、第２の不可視画像がネガポジのいずれかの状態で可視画像となって発現する。
【００４５】
第１の判別具である紫外線ランプ８によって紫外線を照射し励起発光した印刷模様３を、正面から目視で観察した状態を図１３に示す。図１３（ａ）は、紫外線を照射によって励起発光した印刷模様３に対して、第２の判別具であるレンチキュラーレンズ２の各レンズの中心線７が、図８における線Ｌ３に一致するように、レンチキュラーレンズから成るレンチキュラーレンズ２を印刷物１上の印刷模様３に重ね合わせた状態が示されたものである。レンチキュラーレンズ２の中心線７が図１３（ａ）に示された位置にある場合、中心線７上に位置するのは画線Ｂと、画線Ａ及びＡ’となっている。レンチキュラーレンズの特性によって、中心線７に位置する画線Ｂ、Ａ及びＡ’が膨張して見えるため、目視では図１３（ｂ）に示されたような励起発光による可視画像が発現する。ここで、画線Ａ及びＡ’は、ネガポジの関係にあり、かつ、面積が同一であるため、これらにより形成される画像は、視認されない。このため、画線Ｂにより形成される第３の不可視画像のみが視認される。また、レンチキュラーレンズの中心線７が図８における線Ｌ４に一致した位置にあるときは、画線Ｂ’が膨張して見える。これにより、第３の不可視画像がネガポジのいずれかの状態で可視画像となって発現する。
【００４６】
本実施の形態１では、第２の判別具としてレンチキュラーレンズを用いているが、紫外線を透過できる素材であれば何ら限定するものではない。例えば、万線フィルタであっても同様の効果が得られる。レンチキュラーレンズでの観察時において、画線Ｃはほとんど視認されないため、第２の不可視画像及び第３の不可視画像が可視画像として発現したときの視認性を阻害することはない。
【００４７】
また、本実施の形態１における印刷物１の印刷模様３の画線は、図８に示されたような円形又は楕円の形状に限らない。画線Ａと画線Ａ’は、面積が同一であり、また、画線Ｂと画線Ｂ’も面積が同一である。このような構成を備えるものであれば、各々の画線の形状については、限定するものではない。
【００４８】
（２）実施の形態２
本実施の形態２も実施の形態１と同様、図４に示されたように、印刷物１に対し第１の判別具と第２の判別具の併用によって、容易に不可視画像を発現させて真偽性を判別することができるものである。図１４は、通常の可視光で観察された状態と、第１の判別具である紫外線ランプ８の紫外線を照射して観察した状態が示された説明図である。
【００４９】
図１４（ａ）に示された印刷物１は、通常の可視光での観察では、図１４（ａ）に示されたように、印刷模様５のみが視認され、無色蛍光インキによって印刷された印刷模様３は肉眼視で無色となっているため視認されない。なお、図１４（ａ）では、印刷模様３をわかりやすく点線にて表示している。
【００５０】
この図１４（ａ）に示された印刷物１を、図１に示されたように、視点９において、印刷物１に第１の判別具である紫外線ランプ８を用いて紫外線を照射すると、図１４（ｂ）のように、紫外線によって蛍光インキが励起し発光することによって、第１の不可視画像として備わっていた印刷模様３が第１の可視画像となる。この第１の可視画像は、連続階調を成すものであり、図１４（ｂ）に示されたように、任意の連続階調から成る模様１１（例えば、顔写真）が視認される。
【００５１】
図１５に、本実施の形態２における印刷物１に対する印刷模様３の一画線の構成を部分的に拡大して示す。ただし、無色蛍光インキを用いているため、可視光下では無色透明な状態である。以下の説明では、図形が見えているものと仮定して説明する。
【００５２】
縦横の寸法Ｓは、例えば、４２３μｍというように１ｍｍ以下の大きさである。このような画線は、ユニットと称する最小単位であり、印刷物の表面上においてマトリクス状に規則的に配置される。各画線は、少なくとも三つ以上の画線要素を備えている。画線Ａと画線Ａ’とは、対を成しており、相互にオン、オフの関係にある。そして、画線Ａと画線Ａ’とは、面積が同一である。このような画線Ａと画線Ａ’が存在することで通常の可視条件下では視認されず、画線Ａのみにより第２の不可視画像（ネガ又はポジ）、画線Ａ’のみにより第２の不可視画像（ポジ又はネガ）がそれぞれ形成されている。
【００５３】
同様に、画線Ｂと画線Ｂ’は、対を成してオン、オフの関係にあり、かつ、面積が同一である。画線Ｂのみにより第３の不可視画像（ネガ又はポジ）、画線Ｂ’のみにより第３の不可視画像（ポジ又はネガ）がそれぞれ形成されている。
【００５４】
画線Ｄ’は、可視画像を構成する要素であり、通常の視認状態において肉眼で視認される任意の連続階調から成る模様４を構成する。なお、画線Ｄ’は、画線Ａ及び画線Ａ’と、画線Ｂ及び画線Ｂ’との間に配置される。図１５に示される画線Ｄ’は、その最大領域を示したものであり、この領域内であれば画線Ｄ’は、通常の印刷用網点の他、ＦＭスクリーン等のランダムドットの集合であっても良く、その形状は、何ら限定するものではない。
【００５５】
このような構成を有する画線を印刷物上にマトリクス状に隙間なく、連続的に、かつ、規則的に配置すると図１６のようになる。この図１６は、印刷物１に印刷された印刷模様３を構成するマトリクス状に配置された複数の画線において、第２の不可視画像を構成する画線Ａ及び画線Ａ’と、第３の不可視画像を構成する画線Ｂ及び画線Ｂ’と、模様１１を構成する画線Ｄ’とのそれぞれの構成が分るように簡易的に示した模式図である。なお、図１６（ａ）と図１６（ｂ）は、同じ印刷物であって、不可視画像とその位置構成が分るように太実線で簡易的に示した模式図であり、図１６（ａ）は第２の不可視画像「Ａ」の位置を表し、図１６（ｂ）は第３の不可視画像「Ｂ」の位置を表したものである。
【００５６】
図１７（ａ）は、図１６に示された印刷物１の印刷模様３を通常の可視光での観察した状態であり、画線Ａ、画線Ａ’、画線Ｂ、画線Ｂ’及び画線Ｄ’は、肉眼視で視認されない。なお、本実施の形態２では、長さＳが４２３μｍで、印刷模様３がオフセット印刷によりコート紙に印刷されている。しかし、長さＳ、印刷物の基材、印刷方法、印刷材料、印刷装置等についてほ、何ら限定するものでない。
【００５７】
通常の目視では、図１７（ａ）に示されるように何ら模様を認識することができるものではないが、第１の判別具である紫外線ランプ８にて、印刷模様３に紫外線を照射すると図１７（ｂ）に示されように、無色蛍光インキによって、それまで無色透明だった画線Ａ、画線Ａ’、画線Ｂ、画線Ｂ’及び画線Ｄ’が紫外線によって励起し発光する。この状態では、画線Ｄ’によって構成された模様１１が印刷模様３のデザインであるかのごとく目視で視認される。つまり、図１４（ｂ）に示された印刷模様３は、第１の可視画像となって視認される。
【００５８】
さらに、図１１に示されたように、例えば、第２の判別具であるレンチキュラーレンズ２を印刷物１上の印刷模様３に重ね合わせ、正面から目視で観察することによって、印刷模様３に施されている第２の不可視画像及び第３の不可視画像をそれぞれ可視画像として発現させることができる。
【００５９】
第２の判別具であるレンチキュラーレンズ２を重ねていない状態では、模様４及び模様１１が励起発光によって視認されるが、第２の不可視画像及び第３の不可視画像は、視認されない。レンチキュラーレンズ２を印刷模様３上の所定の位置に重ね合わせると、それまで視認されていた模様１１、すなわち、第１の可視画像を全く確認することができなくなり、逆に第２の不可視画像又は第３の不可視画像のそれぞれが可視画像となって視認されるようになる。このような本実施の形態１による印刷物における画像のスイッチ効果の原理について、以下に説明する。
【００６０】
第１の判別具である紫外線ランプ８によって紫外線を照射し励起発光した印刷模様３を、正面から目視で観察した状態を図１８に示す。図１８（ａ）は、紫外線を照射によって励起発光した印刷模様３に対して、第２の判別具であるレンチキュラーレンズ２の各レンズの中心線７が、図１５における線Ｌ１に一致するように、レンチキュラーレンズから成るレンチキュラーレンズ２を印刷物１上の印刷模様３に重ね合わせた状態が示されたものである。レンチキュラーレンズ２の中心線７が図１８（ａ）に示された位置にある場合、中心線７上に位置するのは、画線Ａと、画線Ｂ及びＢ’となっている。レンチキュラーレンズの特性によって、中心線７に位置する画線Ａと、画線Ｂ及びＢ’が膨張して見えるため、目視では、図１８（ｂ）に示されたような励起発光による可視画像が発現する。ここで、画線Ｂ及びＢ’は、ネガポジの関係にあり、かつ、面積が同一であるため、これらにより形成される画像は視認されない。このため、画線Ａにより形成される第２の不可視画像のみが視認される。また、レンチキュラーレンズの中心線７が図８における線Ｌ２に一致した位置にあるときは、画線Ａ’が膨張して見える。これにより、第２の不可視画像がネガポジのいずれかの状態で可視画像となって発現する。
【００６１】
第１の判別具である紫外線ランプ８によって紫外線を照射し励起発光した印刷模様３を、正面から目視で観察した状態を図１９に示す。図１９（ａ）は、紫外線を照射によって励起発光した印刷模様３に対して、第２の判別具であるレンチキュラーレンズ２の各レンズの中心線７が、図１５における線Ｌ３に一致するように、レンチキュラーレンズから成るレンチキュラーレンズ２を印刷物１上の印刷模様３に重ね合わせた状態が示されたものである。レンチキュラーレンズ２の中心線７が図１９（ａ）に示された位置にある場合、中心線７上に位置するのは、画線Ｂと、画線Ａ及びＡ’となっている。レンチキュラーレンズの特性によって、中心線７に位置する画線Ｂと、画線Ａ及びＡ’が膨張して見えるため、目視では図１９（ｂ）に示されたような励起発光による可視画像が発現する。ここで、画線Ａ及びＡ’は、ネガポジの関係にあり、かつ、面積が同一であるため、これらにより形成される画像は視認されない。このため、画線Ｂにより形成される第３の不可視画像のみが視認される。また、レンチキュラーレンズの中心線７が図１５における線Ｌ４に一致した位置にあるときは、画線Ｂ’が膨張して見える。これにより、第３の不可視画像がネガポジのいずれかの状態で可視画像となって発現する。
【００６２】
本実施の形態２では、第２の判別具としてレンチキュラーレンズを用いているが、紫外線を透過できる素材であれば何ら限定するものではない。例えば、万線フィルタであっても同様の効果が得られる。レンチキュラーレンズでの観察時において、画線Ｄ’は、ほとんど視認されないため、第２の不可視画像及び第３の不可視画像が可視画像として発現したときの視認性を阻害することはない。
【００６３】
また、本実施の形態２における印刷物１の印刷模様３の画線は、図１５に示されたような四角形の形状に限らない。画線Ａと画線Ａ’は、面積が同一であり、また、画線Ｂと画線Ｂ’も面積が同一である。このような構成を備えるものであれば、各々の画線の形状については、限定するものではない。
【００６４】
（３）実施の形態３
本実施の形態３は、実施の形態１乃至２と同様に、第１の判別具である紫外線ランプ８を用いて視認できる第１の不可視画像と、更に、第２に判別具であるレンチキュラーレンズ２を用いて視認することができる第２の不可視画像及び／又は第３の不可視画像に加え、判別具を用いずとも視認することができる第４の不可視画像を施した例について説明する。なお、第４の不可視画像は、第１の不可視画像と共有した意匠を備えている。
【００６５】
本実施の形態３において、第１の不可視画像と、第２の不可視画像と、第３の不可視画像とを奏する基本的な画線構成は、図８又は図１５に示された画線の配置と同様であり、画線Ａ、画線Ｂ、画線Ａ’、画線Ｂ’、画線Ｃ及び画線Ｄ（又は画線Ｄ’）は、無色蛍光インキを用いている。一方、第４の不可視画像を奏する画線は、画線Ａ、画線Ｂ、画線Ｃ、画線Ａ’、画線Ｂ’、画線Ｃ’、画線Ｄ又は画線Ｄ’の集合模様である。
【００６６】
図２０は、本実施の形態３の画線構成が示されたものである。印刷物１上に光輝性材料を含むインキ、例えば金属光沢を有する銀インキ等で印刷された印刷模様１２を構成し、印刷模様１２中には、任意の図形及び文字から成る模様１３が形成されている。本実施の形態３では、模様１３の画線面積率を７５％〜１００％、その他の印刷模様１２の画線面積率を２５％〜５０％としているが、光輝性材料及び画線面積率は、何ら限定するものではない。
【００６７】
本実施の形態３では、「桜」の意匠を形成している。そして、印刷模様１３上に無色蛍光インキから成る印刷模様１４を印刷している。この印刷模様１４は、画線Ａ、画線Ｂ、画線Ａ’、画線Ｂ’、画線Ｃ及び画線Ｄ（又は画線Ｄ’）によって構成されている。画線Ａ、画線Ｂ、画線Ａ’、画線Ｂ’、画線Ｃ及び画線Ｄ（又は画線Ｄ’）の配置は、実施の形態１乃至２と同様である。本実施の形態３では、印刷模様１４が、例えば、「梅」の意匠を構成している。なお、本実施の形態３における光輝性材料及び無色蛍光インキは、何ら限定するものではい。
【００６８】
図２０に示された印刷物１を、通常の可視光での観察では、図２０に示されたように、印刷模様１２中の模様１３のみが視認され、無色蛍光インキによって印刷された印刷模様１４は、肉眼視で無色となっているため視認されない。なお、図２０では印刷模様１４をわかりやすく点線にて表示している。
【００６９】
この図２０に示された印刷物１を、図１に示されたように、視点９において印刷物１に第１の判別具である紫外線ランプ８を用いて紫外線を照射すると、図２１のように、紫外線によって蛍光インキが励起し発光することによって、第１の不可視画像として備わっていた印刷模様１４が第１の可視画像となる。これにより、印刷模様１４で形成された「梅」の意匠が励起し発光して肉眼視で確認できる。
【００７０】
そして、印刷物１上に第２の判別具であるレンチキュラーレンズ２を所定の角度（これを０度とする）をもって重ね合わせると、図２２（ａ）又は図２２（ｂ）に示されたような第２の不可視画像１７が可視画像となって発現する。また、印刷物１上に第２の判別具であるレンチキュラーレンズ２を所定の角度に対して９０度を成す角度を持って重ね合わせると、図２３（ａ）又は図２３（ｂ）に示されたような第３の不可視画像１７’が可視画像となって発現する。図２２（ａ）又は図２２（ｂ）及び図２３（ａ）又は図２３（ｂ）に示されるようにネガポジ状のどちらかに見えるのは、レンチキュラーレンズ２と印刷物１との間の相対的な位置によって生ずるものであり、本発明の効果の範囲内である。
【００７１】
さらに、本実施の形態３は、判別具を用いずとも視認することができる第４の不可視画像を備えているものである。この第４の不可視画像は、第１の不可視画像と共有する意匠となっている。図２４は、本実施の形態３における印刷模様１２が印刷された印刷物１において、印刷物１を拡散光領域と正反射光領域とで観察したときのそれぞれの照明光源１５と視点１６と印刷物１の三つの位置関係を図示したものである。照明光源１５と視点１６と印刷物１が図２４（ａ）の位置関係にあるとき、拡散光領域で観察したことになり、照明光源１５と視点１６と印刷物１が図２４（ｂ）の位置関係にあるとき、正反射光領域で観察したことになる。
【００７２】
図２４（ａ）で示されたように、拡散光領域で印刷物１を目視で観察した場合、図２０で示されたように、印刷模様１２上に施された無色蛍光インキから成る印刷模様１４は、完全に透過しているので、主として銀インキから成る印刷模様１２中の模様１３を視認することができる状態となる。一方、図２４（ｂ）に示されたように、正反射光領域で印刷物１を目視で観察した場合、図２５で示されたように、銀インキから成る印刷模様１２は、正反射光がもたらす光輝性の作用によって明度が高まり、無色蛍光インキから成る印刷模様１４の部分については、印刷模様１２の光輝性の作用が抑制される。これにより、印刷模様１４のみが光輝性の違いで強調されて視認される。したがって、印刷模様１４の配置で構成した「梅」の意匠が観察される。すなわち、第４の不可視画像が観察条件における異なる光輝性の作用によって可視となっている。なお、第４の不可視画像は、第１の不可視画像と共有する意匠を備えている。
【図面の簡単な説明】
【００７３】
【図１】紫外線ランプ８を用い、紫外線を照射しながら印刷物１を視点９から目視にて観察した状態が示された斜視図である。
【図２】通常の可視光で観察された状態と紫外線ランプ８の紫外線を照射して観察した状態が示された説明図である。
【図３】通常の可視光で観察された状態と、第１の判別具である紫外線ランプ８の紫外線を照射して観察した状態が示された説明図である。
【図４】印刷物１に対し第１の判別具である紫外線ランプ８で紫外線を照射し、第２の判別具であるレンチキュラーレンズ２を重ね合わせている状態を示されて斜視図である。
【図５】印刷物１上に第２の判別具であるレンチキュラーレンズ２を所定の角度（これを０度とする）を持って重ね合わせた状態が示された説明図である。
【図６】印刷物１上に第２の判別具であるレンチキュラーレンズ２を所定の角度（これを９０度とする）を持って重ね合わせた状態が示された説明図である。
【図７】通常の可視光で観察された状態と、第１の判別具である紫外線ランプ８の紫外線を照射して観察した状態が示された説明図である。
【図８】実施の形態１における印刷物１に対する印刷模様３の一画線の構成が示された拡大図である。
【図９】第２の不可視画像を構成する画線Ａ及び画線Ａ’と、第３の不可視画像を構成する画線Ｂ及び画線Ｂ’と、模様４を構成する画線Ｃと、模様１０を構成する画線Ｄとのそれぞれの構成が分るように簡易的に示された模式図である。
【図１０】図９に示された印刷物１の印刷模様３を通常の可視光での観察した状態と、無色蛍光インキによって、それまで無色透明だった画線Ａ、画線Ａ’、画線Ｂ、画線Ｂ’、画線Ｃ及び画線Ｄが紫外線によって励起し発光した状態が示された説明図である。
【図１１】第２の判別具であるレンチキュラーレンズ２を印刷物１上の印刷模様３に重ね合わせ、正面から目視で観察した状態が示された斜視図である。
【図１２】第１の判別具である紫外線ランプ８によって紫外線を照射し励起発光した印刷模様３を、正面から目視で観察した状態が示された説明図である。
【図１３】第１の判別具である紫外線ランプ８によって紫外線を照射し励起発光した印刷模様３を、正面から目視で観察した状態が示された説明図である。
【図１４】通常の可視光で観察された状態と、第１の判別具である紫外線ランプ８の紫外線を照射して観察した状態が示された説明図である。
【図１５】本実施の形態２における印刷物１に対する印刷模様３の一画線の構成が示された拡大図である。
【図１６】第２の不可視画像を構成する画線Ａ及び画線Ａ’と、第３の不可視画像を構成する画線Ｂ及び画線Ｂ’と、模様４を構成する画線Ｃと、模様１６を構成する画線Ｄとのそれぞれの構成が分るように簡易的に示した模式図である。
【図１７】図１６に示された印刷物１の印刷模様３を通常の可視光での観察した状態と、無色蛍光インキによって、それまで無色透明だった画線Ａ、画線Ａ’、画線Ｂ、画線Ｂ’及び画線Ｄ’が紫外線によって励起し発光した状態が示された説明図である。
【図１８】第１の判別具である紫外線ランプ８によって紫外線を照射し励起発光した印刷模様３を、正面から目視で観察した状態が示された説明図である。
【図１９】第１の判別具である紫外線ランプ８によって紫外線を照射し励起発光した印刷模様３を、正面から目視で観察した状態が示された説明図である。
【図２０】本実施の形態３の画線構成が示された説明図である。
【図２１】第１の判別具である紫外線ランプ８を用いて紫外線を照射し、紫外線によって蛍光インキが励起し発光した状態が示された説明図である。
【図２２】印刷物１上に第２の判別具であるレンチキュラーレンズ２を所定の角度（これを０度とする）を持って重ね合わせた状態が示された説明図である。
【図２３】印刷物１上に第２の判別具であるレンチキュラーレンズ２を所定の角度（これを９０度とする）を持って重ね合わせた状態が示された説明図である。
【図２４】本実施の形態３における印刷模様１２が印刷された印刷物１において、印刷物１を拡散光領域と正反射光領域とで観察したとき状態が示された説明図である。
【図２５】正反射光がもたらす光輝性の作用によって明度が高まり、無色蛍光インキから成る印刷模様１４の部分によって印刷模様１２の光輝性の作用が抑制された状態が示された説明図である。
【符号の説明】
【００７４】
１            印刷物
２            レンチキュラーレンズ
３            印刷模様
４            任意の図形及び文字から成る模様
５            任意の図形及び文字から成る印刷模様
６            模様
７            中心線
８            紫外線ランプ
９            視点
１０            任意の図形及び文字から成る模様
１１            任意の連続階調から成る模様
１２            光輝性材料を含むインキから成る印刷模様
１３            任意の図形及び文字から成る模様
１４            無色蛍光インキから成る印刷模様
１５            照明光源
１６            視点
１７            不可視画像
２０            任意の図形及び文字から成る印刷模様
Ａ            画線
Ｂ            画線
Ｃ            画線
Ｄ            画線
Ｌ１            線
Ｌ２            線
Ｌ３            線
Ｌ４            線
Ｓ            寸法
【図１】
2010120198.tif 000003
【図２】
2010120198.tif 000004
【図３】
2010120198.tif 000005
【図４】
2010120198.tif 000006
【図５】
2010120198.tif 000007
【図６】
2010120198.tif 000008
【図７】
2010120198.tif 000009
【図８】
2010120198.tif 000010
【図９】
2010120198.tif 000011
【図１０】
2010120198.tif 000012
【図１１】
2010120198.tif 000013
【図１２】
2010120198.tif 000014
【図１３】
2010120198.tif 000015
【図１４】
2010120198.tif 000016
【図１５】
2010120198.tif 000017
【図１６】
2010120198.tif 000018
【図１７】
2010120198.tif 000019
【図１８】
2010120198.tif 000020
【図１９】
2010120198.tif 000021
【図２０】
2010120198.tif 000022
【図２１】
2010120198.tif 000023
【図２２】
2010120198.tif 000024
【図２３】
2010120198.tif 000025
【図２４】
2010120198.tif 000026
【図２５】
2010120198.tif 000027